(57)【要約】【課題】  被験者が体重計、便器、血圧計等の生体データ検出機器を操作した場合、確実に本人と検出データとを掌握できる生体データ検知システムを提供する。【解決手段】  複数の被験者によって利用される生体データ検出機器と、該生体データ検出機器に設けられ、該生体データ検出機器の検出データを所望の場所に送信する生体データ処理手段とによって少なくとも構成される生体データ検知システムにおいて、前記被験者は、各々の被験者に付されたＩＤ信号を定期的に発信する発信手段を装着すると共に、前記生体データ処理手段は、前記発信手段によって発信されたＩＤ信号を受信する受信手段と、前記生体データ検出機器によって検出された検出データに前記ＩＤ信号を付加するデータ結合手段と、該データ結合手段によって結合されたデータ信号を所望の場所に送信する送信手段とを具備する。【選択図】    図１
2005046468.tif 000002
【特許請求の範囲】
【請求項１】
複数の被験者によって利用される生体データ検出機器と、該生体データ検出機器に設けられ、該生体データ検出機器の検出データを所望の場所に送信する生体データ処理手段とによって少なくとも構成される生体データ検知システムにおいて、
前記被験者は、各々の被験者に付されたＩＤ信号を定期的に発信する発信手段を装着すると共に、
前記生体データ処理手段は、前記発信手段によって発信されたＩＤ信号を受信する受信手段と、前記生体データ検出機器によって検出された検出データに前記ＩＤ信号を付加するデータ結合手段と、該データ結合手段によって結合されたデータ信号を所望の場所に送信する送信手段とを具備することを特徴とする生体データ検知システム。
【請求項２】
前記生体データ処理手段は、さらに、前記受信手段によってＩＤ信号が受信された場合に、前記生体データ検出機器を作動させる検出機器制御手段を具備することを特徴とする請求項１記載の生体データ検知システム。
【請求項３】
前記生体データ処理手段は、さらに、前記受信手段によってＩＤ信号を受信した場合に、受信したＩＤ信号の状態を送信する受信信号状態送信手段と、受信手段によって受信された他器のＩＤ信号の状態を判定する他器信号判定手段とを具備することを特徴とする請求項１又は２記載の生体データ検知システム。
【請求項４】
前記ＩＤ信号の状態とは、ＩＤ信号の受信強度であることを特徴とする請求項３記載の生体データ検知システム。
【請求項５】
前記ＩＤ信号の状態は、ＩＤ信号の内容と受信強度であることを特徴とする請求項３記載の生体データ検知システム。
【請求項６】
前記他器信号判定手段は、他器から送信されたＩＤ信号の受信強度と、自らが受信したＩＤ信号の受信強度とを比較し、自らが受信したＩＤ信号の受信強度が最も大きい場合にのみ、前記生体データ処理手段の作動を継続することを特徴とする請求項４記載の生体データ検知システム。
【請求項７】
前記他器信号判定手段は、他器から送信されたＩＤ信号の内容が同一である場合にのみ、
他器から送信された受信強度と、自らが受信したＩＤ信号の受信強度とを比較し、自らが受信したＩＤ信号の受信強度が最も大きい場合に、前記生体データ処理手段の作動を継続することを特徴とする請求項５記載の生体データ検知システム。
【請求項８】
前記発信手段の通信距離は、１ｍ〜３ｍの範囲内であり、特に略２ｍであることを特徴とする請求項１〜７のいずれか一つに記載の生体データ検知システム。
【請求項９】
前記生体データ検出機器は、体重計であることを特徴とする請求項１〜８のいずれか一つに記載の生体データ検知システム。
【請求項１０】
前記生体データ検出機器は、便器に装着された尿センサであることを特徴とする請求項１〜９のいずれか一つに記載の生体データ検知システム。
【請求項１１】
前記生体データ検出機器は、血圧計であることを特徴とする請求項１〜１０のいずれか一つに記載の生体データ検知システム。
【発明の詳細な説明】
【技術分野】
【０００１】
本発明は、体重計、便器、血圧計等、複数の被験者によって利用される生体データ検出機器を利用する生体データ検知システムに関する。
【背景技術】
【０００２】
特許文献１に開示される被介護者情報検知システムは、排便または排尿を検出する排便・排尿センサがそれぞれの被介護者のおむつに配設されると共に、看護士等の介護者を呼ぶための呼び出しスイッチ及びシートセンサが設けられ、それぞれのセンサ及びスイッチによって被介護者の状態変化が検出された場合に、発信器の識別コードと共に、センサ又はスイッチ毎に設定された入力番号を無線で送信し、受信機が無線信号を受信した後、受信した識別コードＩＤ及び入力番号に対応する音声データを音声メモリから呼び出して音声のメッセージとして発音するものである。
【特許文献１】登録実用新案第３０２５０９７号公報
【発明の開示】
【発明が解決しようとする課題】
【０００３】
従来の体重計、便器に装着された尿センサ等のいわゆる生体データ検出機器は、比較的軽度の介護を必要とする複数の被験者によって共同で使用されるもので、被験者を特定する方法として被験者がその生体データ検出機器を使用する毎に所定のスイッチを押下するか、自分でそのデータを記録する必要があったが、間違えたスイッチを押下したり、データの記録を忘れたり又は誤記することがあるため、正確なデータを検出することが不可能であった。
【０００４】
また、上述した特許文献１に開示されるように、被介護者毎にセンサやスイッチを装着するのは、被介護者への負担が大きくなるばかりでなく、コストの高くなるという不具合が生じる。
【０００５】
さらに、軽度の介護を必要とする被験者は、自分で生体データ検出機器を操作すること、例えば、体重計にのること、トイレを使用すること、血圧計に腕を通すことなどは容易に行えるが、特別なスイッチを操作したり、番号を入力したり、データを記録したりすることは、間違えたり、忘れたりする可能性が生じる。
【０００６】
このため、この発明は、被験者が体重計、便器、血圧計等の生体データ検出機器を操作した場合、確実に本人と検出データとを掌握できる生体データ検知システムを提供することにある。
【課題を解決するための手段】
【０００７】
したがって、この発明は、複数の被験者によって利用される生体データ検出機器と、該生体データ検出機器に設けられ、該生体データ検出機器の検出データを所望の場所に送信する生体データ処理手段とによって少なくとも構成される生体データ検知システムにおいて、前記被験者は、各々の被験者に付されたＩＤ信号を定期的に発信する発信手段を装着すると共に、前記生体データ処理手段は、前記発信手段によって発信されたＩＤ信号を受信する受信手段と、前記生体データ検出機器によって検出された検出データに前記ＩＤ信号を付加するデータ結合手段と、該データ結合手段によって結合されたデータ信号を所望の場所に送信する送信手段とを具備することにある。また、前記所望の場所とは、介護センター、ナースセンター、医務局、又はデータを処理するホストコンピュータである。
【０００８】
また、前記生体データ処理手段は、前記受信手段によってＩＤ信号が受信された場合に、前記生体データ検出機器を作動させることが望ましい。
【０００９】
また、前記生体データ処理手段は、さらに、前記受信手段によってＩＤ信号を受信した場合に、受信したＩＤ信号の状態を送信する受信信号状態送信手段と、受信手段によって受信された他器のＩＤ信号の状態を判定する他器信号判定手段とを具備することが望ましい。
【００１０】
さらに、前記ＩＤ信号の状態とは、ＩＤ信号の受信強度であることが望ましく、またＩＤ信号の内容と受信強度であることが望ましい。
【００１１】
また、前記他器信号判定手段は、他器から送信されたＩＤ信号の受信強度と、自らが受信したＩＤ信号の受信強度とを比較し、自らが受信したＩＤ信号の受信強度が最も大きい場合にのみ、前記生体データ処理手段の作動を継続することが望ましい。
【００１２】
さらにまた、前記他器信号判定手段は、他器から送信されたＩＤ信号の内容が同一である場合にのみ、他器から送信された受信強度と、自らが受信したＩＤ信号の受信強度とを比較し、自らが受信したＩＤ信号の受信強度が最も大きい場合に、前記生体データ処理手段の作動を継続することが望ましい。
【００１３】
さらに、前記発信手段の通信距離は、１ｍ〜３ｍの範囲内であり、特に略２ｍであることが望ましい。この範囲とすることによって、確実に被験者が使用する生体データ検出機器がＩＤ信号を受信することが可能となると共に、他の機器が受信することを防止できるものである。また、微電力信号とすることによって他の医療機器への影響を防止することができるものである。
【００１４】
さらにまた、前記生体データ検出機器は、体重計であり、便器に装着された尿センサであり、血圧計であることが望ましい。また、生体データを検出する設備を具備した浴槽であっても良い。
【発明の効果】
【００１５】
よって、この発明によれば、被験者が生体データ検出機器を使用した場合に、自動的に被験者のＩＤ信号を付加された検出データが所望の場所に送信することができるため、特別な動作なしに、検出されたデータを被験者のものとして管理することができるものである。このため、被験者に対する正しい介護や医療を行うことができるものである。
【発明を実施するための最良の形態】
【００１６】
以下、この発明を実施するための最良の形態について、図面により説明する。
【実施例１】
【００１７】
本願発明の生体データ検知システム１は、図１に示すように、被験者に装着される発信器２と、複数の被験者によって利用される例えば、体重計、便器の備えられた尿センサ等の生体データ検出機器３と、該生体データ検出機器３からの信号を受信し、複数の被験者のデータを管理する介護センター、ナースセンター、医務局等、又はそこに配備されたホストコンピュータ４とによって少なくとも構成される。
【００１８】
被験者に装着される発信器２は、例えば図２（ａ），（ｂ）に示されるもので、コイン大のケース２０と、電源としてのボタン電池２１と、被験者毎に設定されたＩＤを記憶すると共に装置自体の制御を行うコントロールＩＣ部２２と、コントロールＩＣ部２２の制御信号にしたがって所定の時間間隔でＩＤに相当するＩＤ信号を出力するＩＤ送信部２３と、アンテナ部２４とによって少なくとも構成される。また、前記コントロールＩＣ部２２は、設定されたＩＤを記憶するメモリ回路からなるＩＤ記憶部２５と、所定の信号を出力するクロック、中央演算処理装置（ＣＰＵ）、ランダムアクセスメモリ（ＲＡＭ）、入出力ポート（Ｉ／Ｏ）等から構成される制御部２６とによって少なくとも構成される。また、この発信器２の出力範囲Ｄは、電波が半径１ｍ〜３ｍの範囲、好ましくは半径約２ｍの範囲に設定される。
【００１９】
前記生体データ検出機器３に設けられる受信器３０は、例えば図３に示すもので、前記発信器２からの電波を受信するためのアンテナ３１、このアンテナ３１を介して受信したＩＤ信号を受信するＩＤ受信部３２、受信されたＩＤ信号を判定して前記生体データ検出機器３を使用する被験者を特定し、その被験者の個人識別信号を出力するＩＤ判定部３３、前記生体データ検出機器３のセンサ３４によって検出された生体データを生体データ信号とするデータ検出部３５、前記ＩＤ判定部３３からの個人識別信号と前記データ検出部３５からのデータ信号を結合させて個人生体データ信号とするデータ結合部３６、このデータ結合部３６によって結合された個人生体データ信号を、アンテナ３８を介して発信するデータ送信部３７、及び電源部４０によって少なくとも構成される。尚、この実施の形態では、アンテナ３８による無線による出力としたが、データ送信部３７と前記ホストコンピュータ４等とを有線により接続しても良いものである。
【００２０】
以上の構成によって、生体データ検出機器３に被験者が接近すると、その被験者が特定され、その被験者が生体データ検出機器３を使用して生体データが検出されると、自動的に被験者の生体データとして所定の場所に発信されるので、被験者の煩わしさを防止できると共に、正確な生体データが掌握できるものである。
【実施例２】
【００２１】
また、図４に示す実施例は、ＩＤ受信部３２によってＩＤ信号が受信された場合に、検出機器制御部３９が作動し、前記生体データ検出機器３がオンされるようになっているものである。また、生体データの検出後又は被験者が離れた場合には、自動的に生体データ検出機器３の電源がオフされるものである。尚、この実施の形態においては、前述した実施の形態と同様の箇所に同様符号を付してその説明を省略する。
【実施例３】
【００２２】
さらに、図５（ａ）で示すように、複数の同一若しくは異なる種類の生体データ検出機器３ａ，３ｂ，３ｃが、発信器２のＩＤ信号の出力範囲Ｄ内に存在する場合、すべての生体データ検出機器３ａ，３ｂ，３ｃが作動してしまうことが想定される。しかしながら、基本的には、ホストコンピュータ４において、それぞれの生体データ検出機器３ａ，３ｂ，３ｃからの送信される個人生体データ信号に、検出された個人生体データが添付されないことから、その段階で送信された個人生体データの信憑性について判断することが可能であるが、近接する生体データ検出機器３ａ，３ｂ，３ｃが同時に作動してしまうという不具合、複数の被験者が同時に利用した場合の生体データ検出機器３ａ，３ｂ，３ｃ側の混乱を避けるために、以下の方法が提案される。
【００２３】
少なくとも被験者の発信器２からのＩＤ信号を受信した生体データ検出機器３ａ，３ｂ，３ｃは、図５（ｂ）で示すように、お互いに信号の交換をしながら、被験者が使用しようとしている生体データ検出機器３ａ，３ｂ，３ｃの一つを特定する手段を受信器３０に設けるものである。
【００２４】
その一例として、図６に示すように、前記受信器３０は、発信器２からのＩＤ信号を、アンテナ３１を介して信号受信部３’が受信した場合、そのＩＤ信号の受信強度、例えば電波の電界強度を受信強度検出部４１によって検出し、この受信強度をこの受信器３０の受信強度信号として信号送信部３７’から定期的にアンテナ３８を介して他の受信器３０へ発信する。
【００２５】
また、前記信号受信部３２’において他の発信器２の受信強度信号を受信した場合、他器受信強度判定部４２において、前記受信強度検出部４１によって検出された自らの受信強度と比較し、他の発信器２からの受信強度信号が大きい場合には、自らの作動を継続しない。また、自らの受信強度が最も大きい場合には、自らの作動を継続するために、検出機器制御部３９を介して自らが装着された生体データ検出機器３を作動させ、センサ３４からの生体データをデータ検出部３５で検出し、ＩＤ判定部３３からのＩＤデータとデータ結合部３６で結合させて個人生体データ信号を作成し、信号送信部３７’からアンテナ３８を介してホストコンピュータ４へ送信するものである。これによって、競合する発信器３０がある場合にも、被験者が使用しようとしている生体データ検出機器３が特定できるため、不必要な生体データ検出機器３の作動を防止することができるものである。
【実施例４】
【００２６】
また、図７で示す受信器３０は、信号受信部３２’によってＩＤ信号が受信された場合、受信強度検出部４１によって検出された受信強度と共に、ＩＤ判定部によって判定されたＩＤを具備した他器信号を信号送信部３７’から定期的にアンテナ３８を介して発信する。
【００２７】
他器信号判定部４２’において前記信号受信部３２’によって受信された他器信号が異なるＩＤを有すると判定された場合には、自らの作動を継続するために、検出機器制御部３９を介して自らが装着された生体データ検出機器３を作動させ、センサ３４からの生体データをデータ検出部３５で検出し、ＩＤ判定部３３からのＩＤデータとデータ結合部３６で結合させて個人生体データ信号を作成し、信号送信部３７’からアンテナ３８を介してホストコンピュータ４へ送信する。
【００２８】
また、前記他器信号判定部４２’において前記信号受信部３２’によって受信された他器信号が同一のＩＤを有すると判定された場合には、さらに他器信号判定部４２’においてＩＤ信号の受信強度を比較し、受信強度が他器に比べて低い場合には、実施例３の場合と同様に自らの作動の継続を停止する。また、他器信号判定部４２’においてＩＤ信号の受信強度を比較し、受信強度が他器に比べて高い場合、さらに受信器３０の中で最も高い場合には、自らの作動を継続するために、検出機器制御部３９を介して自らが装着された生体データ検出機器３を作動させ、センサ３４からの生体データをデータ検出部３５で検出し、ＩＤ判定部３３からのＩＤデータとデータ結合部３６で結合させて個人生体データ信号を作成し、信号送信部３７’からアンテナ３８を介してホストコンピュータ４へ送信するものである。これによって、競合する発信器３０がある場合にも、被験者が使用しようとしている生体データ検出機器３が特定できるため、不必要な生体データ検出機器３の作動を防止することができるものである。さらに、複数の被験者によって異なる生体データ検出機器３ａ，３ｂ，３ｃが使用された場合にも対応することが可能となるものである。
【産業上の利用可能性】
【００２９】
この発明による生体データ検知システムは、複数の入院患者や被介護者によって利用される生体データ検出機器を有する病院や介護センターなどの入院施設において有効である。
【図面の簡単な説明】
【００３０】
【図１】本願発明に係る生体データ検知システムの構成を示した説明図である。
【図２】本願発明の生体データ検知システムの発信器の構成を示した説明図である。
【図３】本願発明の実施例１に係る生体データ検知システムの受信器の構成を示した説明図である。
【図４】本願発明の実施例２に係る生体データ検知システムの受信器の構成を示した説明図である。
【図５】（ａ），（ｂ）は、本願発明の実施例３及び４に係る生体データ検知システムにおいて、複数の生体データ検知機器が存在する場合の説明図である。
【図６】本願発明の実施例３に係る生体データ検知システムの受信器の構成を示した説明図である。
【図７】本願発明の実施例４に係る生体データ検知システムの受信器の構成を示した説明図である。
【符号の説明】
【００３１】
１  生体データ検知システム
２  発信器
３，３ａ，３ｂ，３ｃ  生体データ検出機器
４  ホストコンピュータ
【図１】
2005046468.tif 000003
【図２】
2005046468.tif 000004
【図３】
2005046468.tif 000005
【図４】
2005046468.tif 000006
【図５】
2005046468.tif 000007
【図６】
2005046468.tif 000008
【図７】
2005046468.tif 000009